(57)【特許請求の範囲】
【請求項１】
符号分割多元接続システムの移動局で、信号境界によって分割された連続部分を有する無線周波数入力信号に応じて増幅された信号を供給する増幅回路において、
無線周波数入力信号の部分間の境界を表すタイミング情報を受信するタイミング情報入力線と、
前記無線周波数入力信号を増幅する複数のアンプステージであって、この複数のアンプステージはそれぞれ、前記無線周波数入力信号を受信するアンプステージ入力と増幅された無線周波数信号を供給するアンプステージ出力とを備え、直流電流バイアスがそのそれぞれのアンプステージ入力に適用されている間にのみ無線周波数入力信号を増幅するように動作する複数のアンプステージと、
前記複数のアンプステージの各アンプステージ入力と、タイミング情報入力線とに接続され、作動すべき特定のアンプステージを選択し、直流電流バイアスを、選択されたアンプステージ入力のそれぞれのアンプ入力ステージに供給し、無線周波数入力信号の部分間の境界の間でのみ特定のアンプステージの選択を変化させるよう動作するコントロール回路と、
前記アンプステージ入力のそれぞれに接続され、前記複数のアンプステージの他の一つのアンプ入力ステージから前記直流電流バイアスを分離する手段とを具備し、
前記境界は、無線周波数入力信号に施されるウォルシュコード間の遷移の期間を構成することを特徴とする増幅回路。
【請求項２】
前記入力信号に接続される入力と複数の出力とを備え、各出力が前記アンプステージ入力の一つに接続され、前記入力信号を前記複数のアンプステージのそれぞれに供給する入力ネットワークと、
前記アンプステージ出力のそれぞれに接続され、前記複数のアンプステージの選択された少なくとも一つからの前記増幅された信号を出力ネットワークの出力端に供給する出力ネットワークとを備えることを特徴とする請求項１に記載の増幅回路。
【請求項３】
前記分離する手段は、前記入力信号に接続される入力と、前記アンプステージ入力のそれぞれ一つに接続される出力とを、それぞれ備える複数のキャパシタを備えることを特徴とする請求項２に記載の増幅回路。
【請求項４】
前記複数のアンプステージの少なくとも一つとは、電界効果トランジスタであることを特徴とする請求項３に記載の増幅回路。
【請求項５】
前記複数のアンプステージの少なくとも一つとは、バイポーラ接合トランジスタであることを特徴とする請求項３に記載の増幅回路。
【請求項６】
符号分割多元接続システムの移動局で、それぞれが直流電流バイアス信号を同時に受信している間にのみ信号を増幅するよう動作する複数のアンプステージを備える増幅回路における、信号境界によって分割された連続部分を有する無線周波数入力信号に応じて増幅された信号を供給する方法において、
無線周波数入力信号の部分間の境界を表すタイミング情報を受信する工程と、
前記入力信号を、前記複数のアンプステージのそれぞれに適用する工程と、
信号を増幅する際に使用する増幅ステージを選択する工程と、
選択されたアンプステージに、無線周波数入力信号の部分間の境界の間で開始される直流電流バイアス信号を適用する工程と、
前記直流バイアス信号を、前記選択された一つを除く、すべての前記複数の他のアンプステージから分離する工程と、
前記増幅された信号を生成するために、前記選択されたアンプステージにて、前記入力信号を増幅する工程と、
前記増幅された信号を出力端に供給する工程とを具備し、
前記境界は、無線周波数入力信号に施されるウォルシュコード間の遷移の期間を構成することを特徴とする方法。
【請求項７】
入力無線周波数信号の前記部分はワードである請求項１に記載の増幅回路。
【請求項８】
入力無線周波数信号の前記部分はワードである請求項６に記載の方法。
【発明の詳細な説明】
発明の背景
Ｉ．発明の分野
この発明は、信号アンプに関する。特に、この発明は、多様なパラレル増幅装置を用いることにより、広いダイナミックレンジにわたって効率的な線形信号増幅を提供するための方法と回路配列に関する。
ＩＩ．関連技術の説明
符号分割多元接続（ＣＤＭＡ）変調技術の使用は、多くのユーザが存在する大きなシステムにおいて、通信を促進するいくつかある技術の一つである。時分割多元接続（ＴＤＭＡ）、周波数分割多元接続（ＦＤＭＡ）、振幅変調（ＡＭ）や、振幅圧縮単一側波帯（ＡＣＳＳＢ）のような変調方式といった他の技術が知られているが、ＣＤＭＡはこれらの技術に対して顕著な利点を有する。多元接続通信システムにおけるＣＤＭＡ技術の利用は、"SPREAD SPECTRUM MULTIPLE ACCESS COMMUNICATION SYSTEM USING SATELLITE OR TERRESTRIAL REPEATERS"と題する米国特許No.4,901,307に開示されており、この特許は本発明の譲受人に譲渡されており、参考のためにここに組み込まれている。
上述の特許では多元接続技術が開示されており、この多元接続技術では、それぞれ送受信機を持つ多数のユーザが符号分割多元接続（ＣＤＭＡ）スペクトラム拡散通信信号を用いて、衛星中継器あるいは（またはセルサイト局やショートセルサイトとしても知られている）地上基地局を通じて通信を行っている。ＣＤＭＡ通信を用いる場合、周波数スペクトルは、多数回再利用できるので、これによりシステムユーザの許容量の増大を可能にしている。ＣＤＭＡの利用は、他の多元接続通信を用いた場合よりも、高いスペクトラム効率を発揮する。ＣＤＭＡシステムにおけるシステム許容量の増大は、他のシステムユーザへの干渉を減少させるために、各ユーザと通信する携帯端末の送信電力を制御することによって実現されるであろう。地上のＣＤＭＡセルラ通信システムでは、所要のシステム帯域幅によってサポートすることが可能な、同時性通信リンクに関する許容量を最大にするのにきわめて好ましい。もし許容可能なデータ修復を可能にする極小の信号対雑音干渉比で送信信号がセルサイト受信機に到達するように各携帯端末の送信電力が制御されるならば、システム許容量を、最大化することができる。携帯端末からの送信信号が低すぎる電力レベルでセルサイト受信機に到達した場合、ビットエラーレートが高すぎて、高い品質の通信は保証されない。一方、セルサイト受信機において受信された時に高すぎる電力レベルに携帯端末送信信号を設定することにより許容可能な通信を確立した場合には、同じチャネルすなわち同じ帯域幅を共有する他の携帯端末送信信号と干渉が生じる。この干渉は、逆に、他の携帯端末に影響を及ぼし、通信する携帯端末の総数を減少させる。
セルサイト基地局にて各携帯端末より受信した信号を計測し、そしてこの計測結果が所要の電力レベルと比較される。この比較に基づいて、セルサイト基地局は、望まれる通信を維持するのに必要な受信電力レベルからの逸脱を決定する。所要の電力レベルは、システム干渉を減少させるような高い品質の通信を維持するのに必要な最小電力レベルであることが好ましい。
その時、セルサイト基地局は、携帯端末の送信電力を調整すなわち「微調整」するように各システムユーザに対して電力制御コマンド信号を送信する。このコマンド信号は、携帯端末とセルサイト基地局との間のリバースリンクの通信を維持するのに必要とされるレベルに近づくように送信電力を変更するために携帯端末により用いられる。一般に、携帯端末の移動によってチャネルの状態が変わったときに、携帯端末の受信機の電力測定とセルサイト基地局からの電力制御フィードバックは、ともに、適切な電力レベルを維持するために、頻繁に送信電力を再調整する。
このような型の電力制御技術の利用は、携帯端末が比較的広いダイナミックレンジを通じて線形動作することを必要としている。実在する携帯端末はバッテリ電力で動作することから、送信電力アンプが、ＣＤＭＡ通信システムの典型的なダイナミックレンジに渡って、効率的に線形動作できることが必要である。可変利得と固定利得の両方の従来の電力アンプは、広いダイナミックレンジに渡る、必須の能力と線形性を欠くので、この型の性能を発揮できる電力アンプの要望が存在する。
発明の要約
広く、この発明は、線形性を維持しながら効率を改善する方法で、入力信号に応じて増幅された信号を供給する増幅回路の形態を用いる。この増幅回路は、第１と第２のパラレル接続された増幅ステージの選択された一つに入力信号を適用するための入力スイッチを含み、ここで、第１の増幅ステージは第１の入力信号のダイナミックレンジにわたって一定の利得を供給するようにバイアスされ、そして、第２の増幅ステージは第２の入力信号のダイナミックレンジにわたって一定の利得を供給するようにバイアスされる。出力ネットワークは、選択された増幅ステージからの増幅された信号を組み合わせるために設けられている。
好ましい実施形態では、出力ネットワークは、選択された増幅ステージの出力端に接続するための出力スイッチを有し、そしてさらに増幅された信号の電力を測定するための電力測定回路を有する。増幅された出力信号の電力測定結果が予め設定された出力範囲から外れた時に、スイッチ制御回路は、入力スイッチと出力スイッチを、他の増幅ステージに接続する制御を行うために用いられる。特に、ディジタル送信機にこの発明を用いる場合、スイッチ制御回路は、入力スイッチマトリックスと出力ネットワークとが、入力信号内のディジタルワードあるいはシンボル間の過渡期の間のみに、異なる増幅ステージの１つを選択することを許す。
一つの実施形態では、入力信号が直接、異なる最終ステージのトランジスタデバイスに供給される。このデバイスの各ゲートは、ブロッキングキャパシタによって直流において絶縁されているが、しかし、入力信号がＲＦ帯の周波数の場合には、互いに結びつけられている。スイッチロジックは、入力信号の増幅を必要とするデバイスに対してだけ直流バイアス電流を選択的に供給する。このように、入力信号の増幅を要求するデバイスに対してだけバイアスすることにより、直流効率が顕著に改善される。
【図面の簡単な説明】
本発明の特徴、効果は、同じ参照文字が全体を通して対応するものを識別している図面とともに以下に述べられている詳細な説明からさらに明白になるであろう。
図１は、少なくとも１つのセルに位置する基地局装置と複数の携帯端末とを有する、例示的なセルラ電話システムの概略図である。
図２は、この発明のパラレルステージアンプの単純化したブロックダイアグラムを示している。
図３は、図２のパラレルステージアンプにおける、増幅ステージＡ１−Ａ４をバイアスするための例示的な仕組みを説明として示している。
図４は、この発明のパラレルステージアンプの別の実施形態のブロックダイヤグラムである。
図５Ａは、アンプのステージが本来行うべき入力と出力のスイッチング機能を有する、この発明の別の実施形態を示すものである。
図５Ｂは、アンプのステージが本来行うべき入力と出力のスイッチング機能を有する、この発明の、さらに別の実施形態を示すものである。
図６は、この発明の効率的なパラレルステージアンプが組み込まれたスペクトラム拡散信号送信機の携帯端末を説明するブロックダイヤグラムを示す図である。
図７は、図６のスペクトラム拡散送信機に含まれるＲＦ送信機の例示的な形態を示す図である。
図８は、低ノイズ信号増幅のために設計された創作力に富んだ実施形態のブロックダイヤグラムである。
図９は、この発明のパラレルステージアンプのシングルステージとして用いられるデュアルトランジスタアンプの概要を説明するものである。
図１０は、構成アンプステージのゲインがオフセットされている、この発明のパラレルステージアンプの転移特性を図示するものである。
図１１は、アンプのステージが本来行うべき入力と出力のスイッチング機能を有する、この発明の、さらに別の実施形態を示すものである。
好ましい実施形態の詳細な説明
Ｉ．ＣＤＭＡセルラ通信への導入
例示的な地上セルラ電話通信システムが、図１に示されている。図１に示されるシステムは、ＣＤＭＡ変調技術をシステム携帯端末のユーザや、セルサイト基地局との間の通信で利用する。各移動機のユーザは、携帯通信機（例えば携帯電話機）を通じて、１あるいはそれ以上のセルサイト基地局と通信し、各携帯通信機は、この発明の効率的パラレルステージアンプを組み入れた送信機を有する。ここでの論議では、「携帯端末」は、この説明を行う目的で、一般に遠隔加入者局に言及するように使用されている。しかしながら、携帯端末は、位置が固定されていてもよいことに留意すべきである。携帯端末は、複数のユーザが集中された加入者システムの部分品である。携帯端末は、音声、データ、あるいはシングルタイプの組み合わせを運ぶのに用いられる。「移動機」という語は、技術語であるが、携帯端末の範囲や機能を限定する意味ではない。
図１において、システムコントローラとスイッチ１０は、一般に、セルサイト基地局にシステムコントロール情報を送るための適当なインターフェイスと処理ハードウエアを有する。コントローラ１０は、公衆電話交換網（ＰＳＴＮ）から、適当な携帯端末への送信に係わる適当なセルサイト基地局への電話呼出のルーティングを制御する。コントローラ１０は、携帯端末からの、少なくとも１つのセルサイト基地局を通じたＰＳＴＮへの呼のルーティングを制御する。携帯端末は一般に他の携帯端末と直接通信しないから、コントローラ１０は、適当なセルサイト基地局を通じた携帯端末ユーザ間の呼を管理する。
コントローラ１０は、専用電話回線や光ファイバリンクといったさまざまな手段により、あるいは無線周波通信によりセルサイト基地局に結合されている。図１においては、例示的な携帯端末１６，１８と一緒に、２つの例示的なセルサイト基地局１２，１４を示す。矢印２０ａ，２０ｂと、２２ａ，２２ｂは、それぞれセルサイト基地局１２と携帯端末１６，１８との間の可能な通信リンクを規定している。同様に、矢印２４ａ，２４ｂと、２６ａ，２６ｂは、それぞれセルサイト基地局１４と携帯端末１６，１８との間の可能な通信リンクを規定する。セルサイト基地局１２と１４は、通常、同じ電力を用いて送信を行う。
携帯端末１６は、パス２０ａと２６ａを通じてセルサイト基地局１２と１４から受信した全電力を測定する。同様に、携帯端末１８は、パス２２ａと２４ａを通じてセルサイト基地局１２と１４から受信した全電力を測定する。各携帯端末１６，１８において、信号電力は、信号が広帯域な信号である受信機で測定される。それ故に、この電力測定結果は、疑似雑音（ＰＮ）スペクトラム拡散信号を用いた受信信号の相関関係より前に作られる。
携帯端末１６がセルサイト基地局１２に近づいた時、一般に受信信号電力はパス２０ａを通じた信号により支配されるであろう。携帯端末１６がセルサイト基地局１４により近い時は、一般的に受信電力は、パス２６ａを通じた信号によって支配されるであろう。同様に、携帯端末１８がセルサイト基地局１４に近づいた時、一般に受信信号電力はパス２４ａを通じた信号により支配されるであろう。携帯端末１８がセルサイト基地局１２により近い時は、一般的に受信電力は、パス２２ａを通じた信号によって支配されるであろう。
携帯端末１６，１８は、それぞれ、測定結果を用いて、最も近いセルサイト基地局へのパス損失を推定する。携帯端末のアンテナ利得とセルサイト基地局のＧ／Ｔの知識とともに、推定されたパス損失は、セルサイト基地局の受信機における所要の搬送波対雑音比を得るために必要とされる公称送信電力を決定するのに用いられる。携帯端末が持つセルサイト基地局パラメータの知識は、メモリに固定されるか、セルサイト基地局情報放送信号であるセットアップチャネルを通じて送信され、特定のセルサイト基地局に関しての公称状態以外を示す。
携帯端末１６，１８は、セルサイト基地局間を移動する時に、広いダイナミックレンジに対してそれぞれの送信電力を調整する必要が生じる。広いダイナミックレンジにわたる信号増幅が可能な電力アンプは存在するが、関連する利得の変化は、携帯端末の送信機の残りの部分の設計を複雑にする傾向がある。一定に利得を示すことに加えて、携帯端末の送信機のアンプが、対称とするダイナミックレンジ全体にわたって効率的に動作して、バッテリ電力を節約することも要求される。この発明に従えば、高い効率で、線形利得電力アンプが、これらや他の目的を達成する。
II．有効なパラレル電力アンプの概要
次に、図２へ移ると、ここには、この発明のパラレルステージアンプ４０の単純化したブロックダイヤグラムが示されている。入力信号、一般的に、ディジタル変調されたＲＦ通信信号は、ＲＦ送信変調器（図示しない）から入力ネットワーク４４によって受信される。入力ネットワーク４４は、入力信号を４つのパラレルアンプステージＡ１〜Ａ４の少なくとも１つに中継する。最も単純な実施形態では、入力ネットワーク４４は、入力信号を選択的にパラレルアンプステージＡ１〜Ａ４の１つに供給するスイッチマトリックスである。しかしながら、入力ネットワーク４４の（図４に見られる）他の構成は、歪みや信号損失を最小化する方法で、入力スイッチングを果たす。好ましい構成では、アンプステージＡ１〜Ａ４は、それぞれ高周波用電解効果トランジスタ回路かあるいはバイポーラ接合トランジスタ回路の電力アンプを有する。
ステージアンプＡ１〜Ａ４からの出力は出力ネットワーク４８に供給され、このネットワークは、選択されたアンプステージＡ１〜Ａ４からの増幅されたＲＦ出力信号をアンプ出力端５２へ結合する。出力ネットワーク４８は、スイッチマトリックスか、それに類似するものを用いて実現されるが、以下に述べる（図４に見られる）出力ネットワーク４８の他の構成では、歪みや信号損失を最小化する方法で、入力スイッチングを果たす。増幅されたＲＦ信号は、（図示しない）送信アンテナに供給され、同様にスイッチロジック５６に供給される。スイッチロジック５６は、出力端５２における増幅されたＲＦ信号のレベルを監視し、そして、監視された出力信号レベルを含む範囲に対して出力電力を提供するように設計されたアンプステージＡ１〜Ａ４を選択するように、入力ネットワーク４４と出力ネットワーク４８に指示する。他の実施形態では、スイッチロジック５６は、関連する基地局からの受信電力レベル、あるいは電力制御コマンドを監視する。
図３に示す好ましい実施形態では、アンプステージＡ１〜Ａ４は、異なる信号範囲にわたり同じ利得を供給するようにそれぞれバイアスされる。例示的な実施形態では、アンプステージＡ１は、−２３ｄＢｍまでの入力信号に応じて、５ｄＢｍまでの出力電力に対して、おおよそ２８ｄＢの線形利得を供給するようにバイアスされる。同様に、アンプステージＡ２，Ａ３およびＡ４は、ステージＡ１のように、異なる出力信号範囲にわたって同じ線形利得を生成するように、それぞれバイアスされる。具体的には、図３の例示的な実施形態では、アンプステージＡ２は、−２３から−１３ｄＢｍの間の入力信号に応じて、５〜１５ｄＢｍ範囲にわたる出力信号エネルギを生成し、一方、アンプステージＡ３，Ａ４は、それぞれ、−１３から−４ｄＢｍの間、−４から＋１ｄＢｍの間の入力信号に応じて、１５〜２４ｄＢｍ、２４〜２８ｄＢｍ範囲にわたる出力信号エネルギを生成する。アンプステージが電解効果トランジスタ回路あるいはバイポーラ接合トランジスタ回路で構成される場合、（図示しない）バイアスネットワークは、特定の出力範囲に対する動作が求められる各アンプステージに、バイアス電流のレベルを供給するのに利用される。図３の利得値と範囲は、特別な例を提供するものであることと、全く異なる入力と出力の電力範囲が、他の実施形態と関連していてもよいことに注意すべきである。
図３の特別な場合について再び考察し、入力信号レベルが増大し、−２３ｄＢｍに近づくと仮定する。この例では、ＲＦ出力信号のレベルがおおよそ５ｄＢｍに上昇することをスイッチロジック５６が探知するまで、入力信号がアンプステージＡ１に適用され続ける。この時点において、スイッチロジック５６は、アンプステージＡ２に入力信号を適用するように入力ネットワーク４４に指示し、そして、Ａ２からの増幅されたＲＦ出力信号の結果を出力端５２に結びつけ始めるように、出力ネットワーク４８に通知する。アンプステージＡ２とＡ３の間や、アンプステージＡ３とＡ４の間における同様の変更は、それぞれ、１５および２４ｄｂｍに近づくＲＦ出力信号レベルにて、スイッチロジック５６により制御される。任意的に、スイッチロジック５６は、入力信号レベルが過渡的な境界付近で変化する時、隣接アンプステージＡ１〜Ａ４間における過度のスイッチングを防ぐために、ヒステリシスを提供してもよい。各アンプステージＡ１〜Ａ４は特定されたＲＦ出力信号範囲にわたって同じ利得を示すように実現されるので、周辺回路素子には、パラレルアンプ４０は、出力範囲全体にわたって一定の利得を有する単一のアンプとして見える。出力信号範囲にわたる利得変動を調整する必要性をなくすことから、この発明の特徴は、効果的にＲＦ送信の回路に関する設計を単純化する。なるべくならば、図３で示される個々のアンプステージＡ１〜Ａ４の１つだけが、一度にＯＮされるのだが、以下に説明する他の実施形態では、必要とされるＲＦ出力を得るために、同時にアンプステージの組み合わせが変えられてＯＮ／ＯＦＦされる。
図２に示すように、ディジタル変調入力信号内の固有のディジタルワードやシンボル間の境界に関係するタイミング情報は、ローカルコントロールプロセッサからスイッチロジック５６に供給される。この発明を別の側面から見ると、スイッチロジック５６は、入力信号内のディジタルワードやシンボル間の変化の間に、入力ネットワーク４４と出力ネットワーク４８とに、アンプステージＡ１〜Ａ４の異なる一つを選択するように通知する。これは、アンプステージＡ１〜Ａ４を通る信号パス間の何らかの位相差が、増幅されたＲＦ出力信号によって伝えられる完全なディジタル情報にエラーを生じさせないことを保証する。例えば、以下で述べる典型的なＣＤＭＡ変調フォーマットでは、ディジタル入力データストリームが、一組の直交ウォルシュコードあるいは「シンボル」を用いて符号化される。この実施形態では、スイッチロジック５６はエネーブルされて、入力ネットワーク４４と出力ネットワーク４８がウォルシュシンボル間の遷移の間だけ、アンプステージＡ１〜Ａ４間を切り換えるように指示する。典型的な実施形態では、各ウォルシュシンボルの期間は、ＲＦ出力電力の切替レートに比べて、非常に短い（例えば、３．２５ｍｓ）ことから、ＲＦ出力信号レベルを異なる出力範囲へクロスさせる時間の直前に、一般に、アンプステージ間をスイッチングするのに多くの機会が利用できる。
図４に移ると、ブロックダイヤグラムは、この発明のパラレルステージアンプ９０の他の実施形態を提供するものである。入力信号、一般に、ディジタル変調されたＲＦ通信信号が、第１の直交位相分離器９４によって受信される。第１の直交位相分離器９４は、入力信号を、同じ大きさで直交位相を持つ一対の入力信号成分に分離する。第１の分離器９４からの直交位相信号成分は、第２，第３の直交位相分離器９８，１０２に供給される。第２の分離器９８は、直交位相出力を利得調整器Ｇ１，Ｇ２に供給し、そして、第３の分離器１０２は、直交位相出力を利得調整器Ｇ３，Ｇ４に供給する。利得調整器Ｇ１〜Ｇ４は、それぞれシリアルに、対応する一つの固定利得アンプＦ１〜Ｆ４に接続され、各利得調整器と固定利得アンプのシリアル接続により、可変利得調整アンプステージを形成する。
可変利得調整アンプステージの出力は、第１、第２および第３の直交位相結合器１０６，１１０と１１４の配列を用いて結合される。増幅された出力信号の結果は、（図示しない）送信アンテナに入力され、同様に利得コントロールロジック１１８にも入力される。利得コントロールロジック１１８は、可変利得調整アンプステージの種々の組み合わせを選択し、各可変利得調整ステージの利得をセッティングすることによって、アンプ全体の利得をセットするように指示する。図４の一般的な実施形態では、固定利得アンプＦ１〜Ｆ４のそれぞれは、ＮｄＢの同じ公称利得を供給するようにバイアスされ、利得調整器Ｇ１〜Ｇ４は、−３ｄＢの利得／減衰、あるいは０ｄＢにセットされる。これは、可変利得調整アンプステージより選択されたものの利得を以下に示すテーブルＩのように設定することにより、ＲＦ出力電力の所望されるレベルを与える。
0004024867.tif 000002
テーブルＩの第１例を参照すると、各アンプＦ１〜Ｆ４が作動し、各利得調整器Ｇ１〜Ｇ４が、−３ｄＢにセットされている時には、ＮｄＢのＲＦ出力電力が生成される。ＲＦ出力電力が（Ｎ−３）ｄＢに近づくように入力信号のレベルが減少すると、その時は、固定利得アンプＦ３およびＦ４がＯＦＦにされ、そして、利得調整器Ｇ１およびＧ２が０ｄＢにセットされる。テーブルＩで示されるように、固定利得アンプＦ３およびＦ４がＯＦＦにされた時、利得調整器Ｇ３およびＧ４は無関係になる。もし、それにつづいてＲＦ出力電力レベルが（Ｎ−６）ｄＢまで減じることが要求される場合は、固定利得アンプＦ２がＯＦＦにされ、そして、利得調整器Ｇ１が０ｄＢにセットされる。再び説明すると、コントロールプロセッサからのタイミング情報により利得コントロールロジック１１８が、入力信号内の固有なディジタルワードあるいはシンボルの間の遷移の間だけ、固定利得アンプＦ１〜Ｆ４のＯＮ／ＯＦＦを切り換えできるようになり、利得コントロールロジック１１８は、出力電力が切替の境界付近で変化するときに、利得調整器Ｇ１〜Ｇ４と固定利得アンプＦ１〜Ｆ４の過度なスイッチングを避けるために、ヒステリシスを提供してもよい。
第１，第２および第３の直交位相結合器１０６，１１０および１１４ために、ＯＦＦの時はアンプステージの出力インピーダンスは重要ではない。しかしながら、所要のＲＦ出力電力を生成するのに必要なアンプステージＦ１〜Ｆ４だけＯＮにすることにより直流効率は保たれる。
図４に好ましい実施形態を示したが、位相のシフトや結合を用いた他の実施形態も可能であることに注意されたい。例えば、直交位相結合器９８および１０２の直前にそれぞれ配置された２つの利得調整器だけに、利得調整器Ｇ１〜Ｇ４を置換することができる。その代わりに、１つの利得調整器を直交位相結合器９４の直前に配置することもできる。極端なものとしては、利得調整器Ｇ１〜Ｇ４のすべてを除去でき、そのために、この発明を用いるシステムにおける他の回路の構成部品によりアンプ９０の全体の利得の変化を補償する。さらに、直交位相分離器９４，９８および１０２、同様に、直交位相結合器１０６，１１０および１１４は、他の型の位相変換器に置き換えることができる。注目すべきは、直交位相分離器および結合器の数が、パラレルアンプステージの数だけ駆動されることである。
今、図５Ａを参照すると、さらにこの発明の他の実施形態が示されており、ここには、アンプステージ間の選択が、各ステージに含まれるトランジスタアンプのＯＮ／ＯＦＦによってなされる。図５Ａの実施形態では、各アンプステージＡ１〜Ａ４は、１つあるいはそれ以上の電解効果トランジスタ回路から構成されていると仮定されている。しかしながら、これらのアンプステージのそれぞれがバイポーラ接合トランジスタかあるいは他の能動回路とすることができることが理解される。所定のステージは、このステージを構成する電解効果トランジスタ回路を作動させることによって選択され、そして所定の電解効果トランジスタ効果をＯＦＦにすることによって選択をやめ、電源がＯＦＦされた電解効果トランジスタの出力インピーダンスを高くして電源がＯＦＦにされた電解効果トランジスタによる逆ローディングを確実に最小化する。このように、ステージの望まれる数の付加的な組み合わせは、各ステージＡ１〜Ａ４に対する電解効果トランジスタ回路を選択的にＯＮ／ＯＦＦすることにより達成される。図２の実施形態と対照的に、入力スイッチング機能と出力スイッチング機能は、電解効果トランジスタ回路固有のものである。したがって、スイッチロジック５６は、アンプステージＡ１〜Ａ４を直接制御する。
出力ネットワーク４８は、それぞれアンプステージＡ１〜Ａ４と出力端５２との間で接続される整合器６６〜６９を有する。整合器６６〜６９は、アンプステージＡ１〜Ａ４の出力と、出力端５２に接続された（図示しない）アンテナとの間に、最適な電力整合を提供する。アンプステージＡ１〜Ａ４と関連する整合器６６〜６９との各接続は、ほとんど同程度の信号利得を提供し、そして、これらの各組合わせは、所要レベルの出力電力を達成するのに必要な分だけ、スイッチロジック５６によってＯＮ／ＯＦＦされる。それに応じて、所要レベルの出力電力を生成するのに必要なアンプステージＡ１〜Ａ４の数だけ、所定の短い時間にＯＮされ、それによって直流電力を維持し、ほとんど一定の効率を維持する。さらには、出力スイッチング機能を成し遂げる個々のアンプステージＡ１〜Ａ４と、整合器６６〜６９を備える出力ネットワーク４８とを用いることにより、スイッチによる電力損失と信号歪みを避けることができる。
図５Ｂは、さらに、この発明の他の実施形態を示し、ここでは１つあるいはそれ以上のアンプ利得セルあるいはトランジスタが、アンプステージＡ１〜Ａ４の出力と中間端７２との間に置かれる。図５Ｂは、図５Ａに類似している。しかしながら、各アンプに対応する個々の整合器６６〜６９に代わって、最終アンプ回路８５内のマルチプル利得セル７４〜８４を有するアンプ回路８５は、単一の整合ネットワーク８６と対になっている。図５Ｂに示す典型的な実施形態では、単一利得セルトランジスタ７４は、ステージＡ１と中間端７２との間に接続される。同様に、単一利得セルトランジスタ７６は、ステージＡ２と中間端７２との間に接続される。対をなす利得セルトランジスタ７８，８０は、ステージＡ３と中間端７２との間に接続され、そして他の対をなす利得セルトランジスタ８２，８４は、ステージＡ４と中間端７２との間に接続される。図５Ａに示される出力ネットワークと対照的に、図５Ｂの構成は、単一の最終アンプ回路８５を用い、ここで、最終アンプ回路８５内の個々の利得セル７４〜８４は、個別の入力を持つ。これは、物理的な大きさとコストを減少させることができ、そして最終アンプ回路８５の構成を単一にできる。図５Ａの実施形態のように、もし、利得セル７４〜８４がバイポーラ接合トランジスタか電解効果トランジスタのどちらかの場合には、これらのバイアスをなくすとそれぞれの出力が高インピーダンス状態となり、最小の実ローディングとなることから、出力スイッチは必要とされない。
各利得セル７４〜８４は、前述のアンプステージＡ１〜Ａ４によって供給されるバイアス電流を通じてＯＮ／ＯＦＦされる。特定の利得セルのトランジスタをＯＮ／ＯＦＦ制御することにより、要求されるレベルの出力電力に調節される。この実施形態において、ステージＡ３あるいはＡ４が作動している時に、十分なバイアス電流が生成され、利得セルのトランジスタ（７８，８０）あるいは（８２，８４）のそれぞれがＯＮになることに注意すべきである。また、アンプステージＡ３，Ａ４は、それぞれ別々の２つのセルトランジスタ（７８，８０）あるいは（８２，８４）を駆動するが、他の実施形態では、各ステージにて、それ以上、あるいはより少ない利得セルトランジスタを用いてもよいことに注意すべきである。
今、図５Ｂのアンプの典型的な構成について考えてみると、各利得セルトランジスタ７４〜８４は、先行するアンプステージＡ１〜Ａ４によってバイアスがＯＮにされた時に、おおよそ１ワットの電力を供給するように設計されている。テーブルIIは、利得セルのトランジスタの種々の組み合わせが、それぞれアンプステージＡ１〜Ａ４によってバイアスされＯＮとなった時に、この例示的な構成により生成される、異なるレベルの出力電力を表で示している。テーブルIIを見ると、アンプステージＡ１あるいはＡ２のどちらかをＯＮにすることにより、ＲＦ出力電力の合計は１ワットだけ増加する一方、アンプステージＡ３あるいはＡ４のどちらかをＯＮにすると、ＲＦ出力電力の合計は２ワットだけ増加することが分かる。したがって、テーブルIIの方法に従い、４つのアンプステージＡ１〜Ａ４を用いて、１から６ワットまで変化するＲＦ出力電力レベルを生成するのに図５Ｂに示した特有の実施形態を使用することができ、これにより所要の出力電力を生成するのに必要なステージだけにバイアスＯＮして直流効率を維持することができる。テーブルIIは単に、例示的な構成を示すもので、そして利得セルトランジスタ７４〜８４がそれぞれ１ワットより大きくあるいはそれより小さい電力を供給するように設計できることに注意すべきである。しかしながら、同じサイズとなるように各利得セル７４〜８４を選択することは、最終アンプ回路８５の製造を単純化する。
テーブルIIの第１列によって表される図５Ｂの特定の実施形態においては、もし、アンプステージ１つだけとそれと関係する利得セルトランジスタ、例えばＡ１とトランジスタ７４がバイアスＯＮされ、他のすべてＡ２〜Ａ４がバイアスＯＦＦされるならば、ＯＦＦ状態のトランジスタ（７６，７８，８０，８２，８４）のリアクティブローディングは、単一の出力整合回路８６だけを用いた時に、最適な利得整合を供給しないかもしれない。しかしながら、テーブルIIに示した例えば１ワットのような低出力レベルにおいて改善された直流効率が達成される。さらには、選択された個々のアンプステージ、ここではＡ１において、あるいはこの発明が適用されるシステムにおいて、利得の不整合を調整してもよい。
0004024867.tif 000003
さらに、図５Ｂに類似した他の実施形態を図１１に示す。図１１の実施形態は、図５Ｂに示した実施形態とは、入力信号が４つの独立したスイッチ駆動アンプを通過せずに、４つの異なる最終ステージトランジスタ回路１１０２，１１０４，１１０６および１１０８に直接供給される点が異なる。どの回路１１０２〜１１０８も、単一かあるいはマルチゲート回路のどちらかであり、そして示された配列は単に典型を示すものであることに注意すべきである。加えて、回路１１０２〜１１０８は、図１１にて、共通のゲートと共通のドレインを共有する電解効果トランジスタ回路として図示されているが、先に図面に関して前にも述べたように、また共通のエミッタと共通のベースを分けるバイポーラ接合トランジスタ回路、あるいは異なる回路のタイプの組み合わせは、単一に製造することを可能にするものである。さらに、回路１１０２〜１１０８は、それぞれ異なる利得値をとってもよい。
回路１１０２〜１１０８の各ゲートは、ブロッキングキャパシタ１１１２，１１１４，１１１６および１１１８で直流で分離され、入力信号のＲＦ周波数ではつなげられる。スイッチロジック１１２０は、選択的に直流バイアス電流を、回路１１０２〜１１０８のうち、入力信号を増幅するために要求されたものにだけ供給する。このように、入力信号を現在増幅する要求が為された回路にだけバイアスＯＮにすることにより、意味深いことに、直流効率が改善される。この結果、最終ステージアンプの配列が、前述のテーブルIIの構成に類似している。入力整合ネットワーク（図示しない）は、できれば、含まれるすべての回路１１０２〜１１０８が作動して最高の能力を発揮するように利用する。
III．デュアルトランジスタアンプステージ
図９は、この発明のパラレルステージアンプ内の１つのステージ（例えばステージＡ１〜Ａ４の１つ）として用いるのにふさわしいデュアルトランジスタアンプ４００の概要を説明するものである。このアンプステージ４００は、入力ドライバ電解効果トランジスタ（Ｑ１）と出力ドライバ電解効果トランジスタ（Ｑ２）とを備える。図９では、デュアルゲート電解効果トランジスタ（Ｑ１，Ｑ２）の対がアンプステージ４００を含んでいるが、他の実施形態において、他のデバイス技術を用いて実現される単一ゲート電解効果トランジスタ、あるいはバイポーラ接合トランジスタ、あるいはトランジスタが用いられると理解される。
アンプ４００に入力される小さな信号は、入力整合ネットワーク４０４を通じて電解効果トランジスタＱ１のゲートに入力され、ここで電解効果トランジスタＱ１を通じて電力変換を最適化する。同様に、インターデバイス整合ネットワーク４０８は、電解効果トランジスタＱ１の出力から電解効果トランジスタＱ２の入力への電力変換を最大化する。同様の方法で、出力整合ネットワーク４１２は、電解効果トランジスタＱ２の出力インピーダンスとアンプ４００によって駆動される負荷（図示しない）との間で最適な電力整合を行う。
電解効果トランジスタＱ１とＱ２を通じた、穏やかなバイアス電流は、それぞれ直流ゲート電位Ｖg1とＶg2の調整を通じて制御される。一般に、直流ゲート電位Ｖg1とＶg2は、アンプ４００が高低の出力電力レベルで一定の利得を示すように、セットされる。図９の実施形態では、入力電解効果トランジスタＱ１の次元が、おおよそ８：１の例示的な比率によって出力電解効果トランジスタＱ２の対応する次元より小さくなるように選択され、他の構成では、他の比率がよりふさわしいかもしれないことがわかっている。この設計は、アンプ４００より求められる出力電力が低い場合にだけに、出力電解効果トランジスタＱ２に供給されるバイアス電流を実際に減じるようにすることによって、高められた比率を導く。低い出力電力が求められる場合にだけ、電解効果トランジスタＱ２を通じたバイアス電流が、出力電力の中間レベルで必要とされるバイアス電流に比べて、減じられ、そして、電解効果トランジスタＱ１を通じたバイアス電流が幾分増加される。より小さい入力電解効果トランジスタＱ１は、低出力電力レベルに関して、より大きい出力電解効果トランジスタＱ２より効果的に機能することができるから、低電力動作の間に、電解効果トランジスタＱ２を通じたバイアス電流を十分に減じることによってアンプ４００の効率が増大する。バイアス電流の変化は、直流ゲート電位Ｖg1とＶg2をアナログ的に、あるいは不連続のステップの調整を通じた制御によってなされる。
IV．ＣＤＭＡ携帯端末内の有効な電力アンプ
図６を参照すると、ここでは携帯端末のスペクトラム拡散送信機を説明するブロックダイヤグラムが示され、この送信機には、この発明の有効なパラレルステージアンプが組み込まれている。例示的なＣＤＭＡシステムでは、直交信号が、携帯端末と基地局のリンク、すなわち「リバースリンク」にて信号と雑音の好ましい比率を提供するのに用いられる。
図６の送信機において、データビット２００は、例えばボコーダによってデータに変換された音声からなり、エンコーダ２０２に供給され、ここでビットは畳み込み符号化される。データビットレートが、エンコーダ２０２のビット処理レート以下の時、エンコーダ２０２の動作レートに一致するビットレートで、復元データストリームを生成するために、エンコーダ２０２が入力データビット２００を繰り返すのに、コードシンボルの復元が用いられる。例示的な実施形態では、エンコーダ２０２は、データビット２００を、公称１１．６ｋｂｉｔｓ／ｓｅｃのビットレート（Ｒb）で受信し、そして、Ｒb／ｒ＝３４．８ｓｙｍｂｏｌｓ／ｓｅｃを生成し、ここで「ｒ」は、エンコーダ２０２のコードレート（例えば１／３）を示す。符号化されたデータは、この時、ブロックインターリーバ２０４に供給され、ここでブロックインターリーブされる。
６４−ａｒｙ直交変調器２０６には、６４キャラクタが存在しうる場合に、（１／ｒ）（Ｒb／ｌｏｇ2６４）＝５８００ｃｈａｒａｃｔｅｒｓ／ｓｅｃのレートで、ｌｏｇ2６４＝６シンボルを含むキャラクタにグループ化される。好ましい実施形態では、各キャラクタは、６４のウォルシュシーケンス長に符号化される。各ウォルシュシーケンスは、６４バイナリビット、あるいは「チップ」を有し、ここには長さ６４の６４ウォルシュコードのセットがある。６４直交コードは、６４ハダマードマトリックスによる６４からのウォルシュコードに一致し、ここではウォルシュコードは、一例、あるいはマトリックスのコラムである。
変調器２０６によって生成されたウォルシュシーケンスは、エクスクルーシブＯＲコンバイナ２０８に供給されるように見え、それからここでは、コンバイナにて、特定の携帯端末に対する特定のＰＮコードを用いて、「ｃｏｖｅｒｅｄ」、あるいは乗算される。このような「ｌｏｎｇ」ＰＮコードは、ユーザＰＮロングコードマスクに従って、Ｒcレートで、ＰＮロングコードジェネレータ２１０により生成される。例示的な実施形態では、ロングコードジェネレータ２１０は、１ウォルシュチップあたり４ＰＮチップを生成するために、例示的には１．２２８８ＭｈｚのチップレートＲcで動作する。この発明に従って、携帯端末の送信機内の有効なパラレルステージアンプが、各ウォルシュコードシンボルの境界（すなわち、連続するコードシンボルのＰＮチップのうち、最後のシンボルの後、およびはじめのシンボルより前）にて、ＰＮチップ間だけで状態を変えることが許される。
図７を参照すると、ＲＦ送信機２５０の例示的な構成が示されている。符号分割多元接続（ＣＤＭＡ）スペクトラム拡散の応用において、一対のショートＰＮシーケンス、ＰＮIとＰＮQは、それぞれＰＮIジェネレータ２５２とＰＮQジェネレータ２５４とにより、エクスクルーシブＯＲコンバイナ２５６と２５８に供給される。ＰＮIとＰＮQのシーケンスは、それぞれｉｎ位相（Ｉ）と直交位相（Ｑ）の通信チャネルに関係し、そして一般に各ユーザロングＰＮコードの長さよりも短い長さ（３２７６８チップ）である。結果として生じたＩチャネル符号拡散シーケンス２６０とＱチャネル符号拡散シーケンス２６２は、それぞれベースバンドフィルタ２６４と２６６を通過する。
ディジタル・アナログ（Ｄ／Ａ）コンバータ２７０と２７２は、ディジタルＩチャネルとディジタルＱチャネルの情報を、それぞれアナログ形式に変換する。Ｄ／Ａコンバータ２７０と２７２によって生成されたアナログ波形は、それぞれ局部発振器（ＬＯ）搬送波周波数信号Ｃｏｓ（２πｆｔ）とＳｉｎ（２πｆｔ）とともに、ミキサ２８８と２９０に供給され、ここで、これらはミキシングされ加算器２９２に供給される。直交位相搬送波信号Ｃｏｓ（２πｆｔ）とＳｉｎ（２πｆｔ）は、適当な周波数源（図示しない）から供給される。これらミキシングされたＩＦ信号は、加算器２９２にて加算され、ミキサ２９４に供給される。
ミキサ２９４は、ＲＦ周波数帯にアップコンバートするために、加算された信号を周波数シンセサイザ２９６からのＲＦ周波数信号とミキシングする。この時、このＲＦ信号は、バンドパスフィルタ２９８でフィルタリングされ、そして、この発明の有効なパラレルステージＲＦアンプ２９９に供給される。再び説明すると、携帯端末のコントローラは、各ウォルシュコードシンボル間の転移を規定するＰＮチップ間だけに、アンプ２９９内のアンプステージの選択された組み合わせを変えることができるようにすることによって適当な位相が確実に保持されるようにする。
Ｖ．ＣＤＭＡ携帯端末におけるデュアルステージパラレルアンプ
図８は、図６および図７に示され、前述したＣＤＭＡ携帯端末における広いダイナミックレンジにわたって信号増幅を行うように設計されたパラレルステージアンプ３１０のブロックダイアグラムである。アンプ３１０は、低出力アンプ（ＬＰＡ）３１３と高出力アンプ（ＨＰＡ）３１６、第１と第２のスイッチ（３１８，３２２）で表される出力スイッチマトリックス、第１と第２のダミー負荷（３２０，３２４）、およびスイッチロジック３３４とによって表されるパラレルアンプステージを備える。簡単に説明すると、アンプ３１０は、低レベルの出力電力だけが求められる時に、低レベルの直流電流が流れるＬＰＡ３１３を排他的にだけ利用し、また、高レベルの出力電力が求められる時に、ＨＰＡ３１６を排他的に利用することにより、改善された直流効率をもたらす。この効率は、第１と第２のダミー負荷（３２０，３２４）と、アンテナ（図示しない）とに、ＬＰＡ３１３とＨＰＡ３１６の各出力を二者択一で出力する指示をスイッチロジック３３４が行うことによってなされる。低出力指示の際には、スイッチロジック３３４は、第１のスイッチ３１８に対して、ＨＰＡ３１６の出力を第１のダミー負荷３２０に供給するように指示し、そして、第２のスイッチ３２２に対して、ＬＰＡ３１３の出力をアンテナ（図示しない）に供給するように指示する。さらに多くの送信電力が求められるならば、ＨＰＡ３１６は、ＬＰＡ３１３によって送信されているのと同じ電力を生成し始め、ＨＰＡ３１６の出力は、第１のダミー負荷３２０に入力して捨てられる。適切なスイッチング境界にて、スイッチロジック３３４は、第１のスイッチ３１８に対して、ＨＰＡ３１６の出力をアンテナ（図示しない）に供給するように指示し、そして、第２のスイッチ３２２に対して、ＬＰＡ３１３の出力を第２のダミー負荷３２４に供給するように指示する。
好ましい実施形態においては、ＬＰＡ３１３は、低出力モード動作時にＡクラスアンプとして機能する。すなわち、ＬＰＡ３１３が、圧縮されていない時に供給されるＲＦ入力信号のレベルとは無関係にＬＰＡ３１３は電力利得を供給する。さらに、Ａクラスアンプとして、ＬＰＡ３１３は、圧縮されていない限り、ＲＦ出力電力レベルに関係なく、ほとんど一定の直流電力を消費する。低出力モード動作時には、アンテナに供給される出力電力レベルは、ＬＰＡ３１３に供給されるＲＦ入力電力のレベルを調整することにより実質的に制限される。なぜなら、ＬＰＡ３１３は、低出力モード動作時に、一様な利得を供給し、最小の歪みで入力電力をリニアに追跡するので、ＬＰＡ３１３によって生成されるＲＦ出力電力レベルは、ＬＮＡ３１２に先行するＡＧＣアンプ（図示しない）によって効率よく制御される。
この発明にしたがうと、ＨＰＡ３１６の出力に現れる出力電力は、低出力動作モードと高出力動作モードの間の何らかの切り替え直前の転移期間に、ＬＮＡ３１３によって生成される出力電力に整合される。特に、転移期間では、ＨＰＡ３１６によって生成される電力は、利得制御ループ３２６によって監視される。利得制御ループ３２６は、転移期間のＨＰＡ３１６の利得をアンプ３１３の利得と等しくなるように設定することにより、ＬＮＡ３１３とＨＰＡ３１６の出力における電力レベルを一様にする。このような「境目のない」転移が、低出力モードから高出力モードへ、およびこの逆でも達成される。例示的なＣＤＭＡの構成では、スイッチロジック３３４は、スイッチ３１８と３２２がウォルシュ符号シンボルの境界でトグル切り替えされることだけを許容する。
高出力モードの間には、ＨＰＡ３１６は、本質的に、ＡＢクラスか、あるいはＢクラスのアンプとして動作する。すなわち、アンプ３１６の電力利得と直流電力消費は、ＲＦ入力電力レベルの関数である。好ましい構成では、ＨＰＡ３１６は、少なくとも、１つの電解効果トランジスタを備える。電解効果トランジスタアンプのゲート電圧は、電解効果トランジスタと電解効果トランジスタ利得によって導かれた電流の総量に影響を及ぼし、より高い直流効率は、ある動作レベルに対して要求される最小電解効果トランジスタ電流を要求されるＲＦ出力電力レベルに整合させることによって、達成されるはずである。ＨＰＡ３１６の利得は、要求される動作範囲で非線形であるから、アンプ３１０によって生成されるＲＦ信号のレベルは、ＨＰＡ３１６に供給される信号レベルをもっぱら調整することによって制御されないかもしれない。むしろ、利得制御ループ３２６は、ＲＦ電力レベルの要求されるレベルがアンテナに伝えられるように、ＨＰＡ３１６の利得を設定する。
図８に示すように、利得制御ループ３２６は、ＨＰＡ３１６の出力に接続される検出器／バッファ３４０を有する。検出器／バッファ３４０は、動作アンプ３４４とキャパシタ３４６から構成されているループ積分器を駆動する。ＨＰＡ３１６は、一般に１つかそれ以上の電解効果トランジスタアンプを備えているから、電流アンプ３４８は、必須の電解効果トランジスタアンプバイアス電流を供給するために、制御ループ３２６内に備えられる。電力制御ループ３２６は、ＨＰＡ３１６のゲートとドレインの電圧を制御することによって、検出器／バッファ３４０によって測定されるようなＨＰＡ３１６のＲＦ出力電力を設定する。この方法では、ＡＧＣアンプ（図示しない）により設定されるようなＨＰＡ３１６への入力電力が出力要求の増大に連れて増大し続けるが、ＨＰＡ３１６の出力電力が利得制御ループ３２６によって設定され続けるので、ＨＰＡ３１６の非線形性は克服される。
ＣＤＭＡ送信機に含まれるのにふさわしいアンプ３１０の例示的な構成において、利得制御ループ３２６はスイッチ３５２を備えてもよく、このスイッチは、「ブランク」のフレームの期間に開かれ、この間では、アンプ３１０によって信号電力がアンテナに供給されない。このようなブランクフレームは、全体的なデータ送信レートがフルレートより遅いレートの時に、実データのアクティブフレームの間に挟まれる。スイッチ３５２は、各ブランクフレームの開始に先んじて、積分ループを開放し、それに続くアクティブフレームの開始後に、即座にループを閉じる。
VI．利得オフセットパラレルステージ
図１０は、この発明のパラレルステージアンプの特性を変化を図で説明するもので、構成するアンプステージは利得においてオフセットされている。簡便のために、図１０のバイアス技術は、図２で示されたパラレルステージアンプを参照して述べることにする。図１０に例示されたバイアス方法において、各アンプステージＡ１〜Ａ４は、異なる利得で実現される。ステージ間のスイッチングは、前述した方法で生じるが、ステージ間の利得オフセットは、増幅されたＲＦ出力信号の電力の変化は不連続となる。前述したように、スイッチロジック５６（図２）は、出力端５２における、増幅されたＲＦ信号のレベルを監視する。この時、スイッチロジック５６は、監視された出力信号レベルで動作するように設計された適切なステージＡ１〜Ａ４を選択するように、入力スイッチマトリックスと出力ネットワーク４８に指示する。
図１０を参照すると、アンプステージＡ１〜Ａ４は、予め定められた範囲内で入力信号に応じて線形の利得を提供するようにそれぞれバイアスされる。特に、アンプステージＡ１は、ＰIN,0とＰIN,1の間の入力信号に応じて、ＰOUT,0からＰOUT,1までの範囲の出力信号にわたり、線形利得を生成するようにバイアスされる。同様に、アンプステージＡ２，Ａ３およびＡ４は、それぞれＰOUT,1からＰOUT,2まで、ＰOUT,2からＰOUT,3まで、ＰOUT,3からＰOUT,4までの範囲の出力信号にわたり、線形利得を生成するようにバイアスされる。アンプステージが電解効果トランジスタかあるいはバイポーラ接合トランジスタ回路で構成される時、バイアスネットワーク（図示しない）は、特定の出力範囲に対する動作で要求される各アンプステージへのバイアス電流のレベルを供給するのに用いられる。
図１０によって意図されたステージ間の利得オフセットは、例えば、パラレルステージ電力アンプとともに用いられるＡＧＣ回路に要求されるダイナミックレンジを減少させる要求がある時に有用である。低出力レベルで示される減少された利得は、信号対雑音比がたいてい最小となる、低入力信号レベルでより少ない雑音増幅となることも重要である。それゆえに、図１０の利得オフセット技術は、低入力信号レベルでの雑音性能を改善するのに、有効に用いられるとともに、完成したアンプチェーンの全体にわたる雑音性能を改善するのに用いられる。
好ましい実施形態の先の説明は、当業者が本発明を生産または使用できるように提供されている。これらの実施形態に対するさまざまな修正は当業者にとって容易に明らかとなるであろう。ここに規定されている一般的な原理は発明力を使用することなく他の実施形態に対して適用することができる。したがって、本発明はここに示されている実施形態に制限されることを意図しているものでなく、ここに開示されている原理および新規な特徴と矛盾しない最も広い範囲に一致すべきものである。
【図１】
0004024867.tif 000004
【図２】
0004024867.tif 000005
【図３】
0004024867.tif 000006
【図４】
0004024867.tif 000007
【図５Ａ】
0004024867.tif 000008
【図５Ｂ】
0004024867.tif 000009
【図６】
0004024867.tif 000010
【図７】
0004024867.tif 000011
【図８】
0004024867.tif 000012
【図９】
0004024867.tif 000013
【図１０】
0004024867.tif 000014
【図１１】
0004024867.tif 000015